(57)【要約】【課題】オーバーロックミシンにおいて、ルーパーへの糸掛けをより簡便にすること。【解決手段】上下のルーパー糸Ｕ，Ｄの糸掛け経路を案内する糸案内溝（第１上ルーパー案内溝６１ａ，第２上ルーパー案内溝６２ａ，第１下ルーパー案内溝６１ｂ，第２下ルーパー案内溝６２ｂ）を形成し、この糸案内溝に糸を掛けていくことにより、ルーパー（上ルーパー３１、下ルーパー３２）の糸挿通孔（３１ａ，３２ａ）にルーパー糸Ｕ，Ｄを通す前までのすべての糸掛けが完了する。【選択図】　　　図１
2004016438.tif 000002
【特許請求の範囲】
【請求項１】
ミシン機枠と、上下運動するミシン針と、先端にルーパー糸が挿通する糸挿通孔を有し所定の周期運動を行うことにより前記ミシン針と協動して縫製物への縫目を形成するルーパーと、ルーパー糸に張力を付与する糸調子器と、前記ミシン針の上下運動の運動周期及び前記ルーパーの周期運動の運動周期と同期してルーパー糸の糸取りを行うルーパー天秤と、ルーパー糸を前記ルーパーの前記糸挿通孔に導くためのルーパー糸掛けとを具備し、ルーパー糸が前記糸調子器、前記ルーパー天秤、前記ルーパー糸掛けの順に経由して前記ルーパー挿通孔に挿通されてなるオーバーロックミシンにおいて、
ルーパー糸の糸掛け経路を案内する糸案内溝が形成されており、該糸案内溝にルーパー糸を掛けていくことにより、前記ルーパーの糸挿通孔にルーパー糸を通す前までのすべての糸掛けが完了することを特徴とするオーバーロックミシン。
【請求項２】
請求項１において、
前記糸案内溝は、前記ミシン機枠の前面に取り付けられたルーパー糸案内板に形成されていることを特徴とするオーバーロックミシン。
【請求項３】
請求項１又は２のいずれか１項において、
前記糸案内溝の屈曲部位の内角側に突起部位が形成されてなることを特徴とするオーバーロックミシン。
【請求項４】
請求項２又は３のいずれか１項において、
前記ルーパー糸案内板は、前記ミシン機枠に脱着可能に取り付けられていることを特徴とするオーバーロックミシン。
【請求項５】
請求項２〜４のいずれか１項において、
前記ルーパー糸案内板は、透明であることを特徴とするオーバーロックミシン。
【発明の詳細な説明】
【０００１】
【発明の属する技術分野】
この出願の発明は、オーバーロックミシンに関するものであり、特に、ルーパーへの糸掛けをより簡単かつ確実に行えるようにしたオーバーロックミシンに係るものである。
【０００２】
【従来の技術】
ルーパーを具備するオーバーロックミシンにおいては、糸供給源からのルーパー糸をミシン機枠前面の糸調子器、複数の糸掛け及び天秤等の糸掛け部材に通した後、ルーパーの糸挿通孔に通す。これらの糸通しをより簡便なものとするため、特許第２６２４５１３号には、ミシン機枠前面の案内板に糸案内溝を形成し、この糸案内溝に糸を通すだけで、糸調子器から天秤の運動領域を通過してルーパーの方向に糸を向かわせることができる技術が記載されている。
【０００３】
【発明が解決しようとする課題】
しかしながら、上記従来の技術においては、糸案内溝から出たルーパー糸は、実際にはルーパー糸掛けに糸を掛けてからルーパーに糸を通すため、ルーパー糸掛けへの糸掛作業が手間取るといった問題がある。また、糸案内溝から先にも糸掛け部材があるため、糸の通し忘れ（糸掛け順序の誤り）により、所定の縫目が形成できないトラブルがある。
【０００４】
本発明は、上記実情に鑑みてなされたものであり、オーバーロックミシンにおいて、ルーパーへの糸掛けをより簡便にすることを、その技術的課題とする。
【０００５】
【課題を解決するための手段】
上記技術的課題を解決するためになされた請求項１の発明は、
ミシン機枠と、上下運動するミシン針と、先端にルーパー糸が挿通する糸挿通孔を有し所定の周期運動を行うことにより前記ミシン針と協動して縫製物への縫目を形成するルーパーと、ルーパー糸に張力を付与する糸調子器と、前記ミシン針の上下運動の運動周期及び前記ルーパーの周期運動の運動周期と同期してルーパー糸の糸取りを行うルーパー天秤と、ルーパー糸を前記ルーパーの前記糸挿通孔に導くためのルーパー糸掛けとを具備し、ルーパー糸が前記糸調子器、前記ルーパー天秤、前記ルーパー糸掛けの順に経由して前記ルーパー挿通孔に挿通されてなるオーバーロックミシンにおいて、
ルーパー糸の糸掛け経路を案内する糸案内溝が形成されており、該糸案内溝にルーパー糸を掛けていくことにより、前記ルーパーの糸挿通孔にルーパー糸を通す前までのすべての糸掛けが完了することを特徴とするオーバーロックミシンとすることである。
【０００６】
上記請求項１の発明によれば、ルーパー糸の糸掛け経路を案内する糸案内溝が形成されており、この糸案内溝に沿ってルーパー糸を掛けていくことにより、糸調子器、ルーパー天秤、ルーパー糸掛けなどの、ルーパーの糸挿通孔にルーパー糸を通す前までのすべての糸掛け部材への糸掛けが完了するので、糸案内溝から出た糸は唯一ルーパーの糸挿通孔に通すのみで糸通し操作（作業）が完了する。このため、糸掛け作業をより簡単にすることができるとともに、糸掛け順序を誤ることも防止できる。
【０００７】
尚、上記において、「すべての糸掛け」とは、機能上必要なすべての糸掛けという意味であり、機能上不必要である糸掛け部材、例えば本発明を回避するために設けてある糸止め部などは、「すべての糸掛け」には包含されない。
【０００８】
また、請求項２の発明は、請求項１の発明において、
前記糸案内溝は、前記ミシン機枠の前面に取り付けられたルーパー糸案内板に形成されていることを特徴としている。
【０００９】
糸案内溝をミシン機枠の前面に取り付けられたルーパー糸案内板に形成することにより、ルーパー糸案内板をミシン機枠に取り付けるだけで糸案内溝を形成することができる。尚、この場合において、糸案内溝の全てがルーパー糸案内板に形成されている必要はなく、糸案内溝の一部がルーパー糸案内板に形成されていても良い。
【００１０】
また、請求項３の発明は、請求項１又は２のいずれか１項において、
前記糸案内溝の屈曲部位の内角側に突起部位が形成されてなることを特徴としている。
【００１１】
上記請求項３の発明によれば、糸案内溝の屈曲部位の内角側に突起部位を形成することにより、その突起部位に糸を掛けていくだけで、糸案内溝に糸が滑り込みながら挿入されるようになるため、より簡単に糸掛けを行うことができる。尚、ここで、「屈曲部位の内角側」とは、糸案内溝が屈曲している場合において、その屈曲角が鋭角となっている方の側壁に通じる側ということである。
【００１２】
また、請求項４の発明は、請求項２又は３のいずれか１項において、
前記ルーパー糸案内板は、前記ミシン機枠に脱着可能に取り付けられていることを特徴としている。
【００１３】
上記請求項４の発明によれば、ルーパー糸案内板がミシン機枠に脱着可能に取り付けられているので、糸通し経路の変更など、ルーパー糸案内板の取外しが必要となったときに容易に取り外すことができる。尚、脱着可能な取り付け構成としては、マグネット等の磁力を利用した取り付け、パッチン止めなどの弾性力を利用した係合による取り付け等が挙げられる。
【００１４】
また、請求項５の発明は、請求項２〜４のいずれか１項において、
前記ルーパー糸案内板は、透明であることを特徴としている。
【００１５】
請求項５の発明によれば、ルーパー糸案内糸を透明とすることにより、ルーパー糸案内板に形成された糸案内溝にそって糸掛けされたルーパー糸が確実に糸掛けされているかを目視することができる。
【００１６】
【発明の実施の形態】
以下、本発明を実施の形態により具体的に説明する。
【００１７】
図１は、本発明の実施形態におけるオーバーロックミシン１０１の正面図である。図１に示すようにミシン機枠１０はベッド部１１、脚立部１２、アーム部１３により構成されている。アーム部１３には押え棒を介して布押え（共に図示せず）が装着され、針棒２１を介して２本のミシン針２２，２２が上下動可能に配設されている。ベッド部１１の図示左方には上ルーパー３１、下ルーパー３２が配設され、各々の先端には糸挿通孔３１ａ，３２ａ（図４参照）が形成されている。各ルーパー３１，３２はミシン針２２と協働して布等の非縫製物に環縫いステッチを形成する。
【００１８】
図１及び図２に示すように、ミシン機枠１０の後側には複数の　糸立て４１が配設されている。この糸立て４１には糸供給源である糸コマ４２が支持されており、該糸コマ４２からアンテナ式糸掛け４３を介して針糸、ルーパー糸がミシン機枠前面に供給される。針糸を２本のミシン針２２，２２に案内するために、アーム部１３の前面には、上下方向に形成された左右一対の針糸案内溝５１ａ，５１ｂが連続して設けられている。同様に、ルーパー糸を上ルーパ３１及び下ルーパ３２に案内するために脚立部１２の前面には、上下方向に形成された第１上ルーパー案内溝６１ａ及び第１下ルーパー案内溝６１ｂが一対となって連続して設けられている。そして、各々の糸案内溝５１ａ，５１ｂ，６１ａ，６１ｂの図示上部には、一対の皿形状を有する糸調子器２３がそれぞれ配設されており、各々の糸に所要の張力を付与するようになっている。
【００１９】
図２は、図１に示すオーバーロックミシン１０１の側面図である。図に示すように、ミシン機枠１０のベッド部１１の前面にはカバー７６が開閉可能に配設されている。カバー内側のミシン機枠（ベッド部１１）の前面には、ルーパー糸案内板７１がネジ（図示せず）により上下左右に位置調整可能に取り付けられている。このルーパー糸案内板は、透明で形成されている。また、ルーパー糸案内板７１の裏面（後面）には複数の突起７２が形成されており、該突起７２にルーパー糸案内板７１が支持されることによりその傾きが規制されている。また、このルーパー糸案内板７１は、その前側にあるカバー７６によって覆われている。
【００２０】
尚、本例では、ルーパー糸案内板７１は、ネジによりミシン機枠に取り付けられているが、その他、図８に示すように、磁石を用いた吸着部材Ｓを使用し、ルーパー糸案内板７１を磁力によって引き付ける方式、いわゆるマグネットキャッチ方式によって脱着可能に固定することもできる。またさらに、図９に示すように、ルーパー糸案内板７１の裏面から突出した突出片Ｐを設け、またベッド部１１には該突出片Ｐに対応する位置に凹部Ｑを設け、突出片Ｐの先端に形成された切欠Ｐ１と凹部Ｑの開口縁に形成された凸部Ｑ１とを弾性力を利用して係合させることにより、脱着可能に固定することもできる。図８及び図９の方式でルーパー糸案内板７１を固定することにより、取外しが必要となったときに容易にルーパー糸案内板７１を取り外すことができる。
【００２１】
図１に示すように、ルーパー糸案内板７１には、第２上ルーパー案内溝６２ａ及び第２下ルーパー案内溝６２ｂが形成されている。第２上ルーパー案内溝６２ａは、ルーパー糸案内板７１の上部の点Ｐから始まり、該点Ｐから鉛直下方に延びた第１鉛直部６２１ａと、該第１鉛直部６２１ａの下方端から略直角に折れ曲って水平左方向に延びた第１水平部６２２ａと、該第１水平部６２２ａの左端から略直角に折れ曲がって鉛直上方に延びた第２鉛直部６２３ａと、第２鉛直部の上方端から略直角に折れ曲がって水平左方向に延びた第２水平部６２４ａとを備えて構成されており、該第２水平部６２４ａの左端がルーパー糸案内板７１の左端にまで通じている。
【００２２】
第２下ルーパー案内溝６２ｂは、ルーパー糸案内板７１の上部の点Ｑから始まり、該点Ｑから鉛直下方に延びた鉛直部６２１ｂと、該鉛直部６２１ｂの下方端から略直角に折れ曲がって水平左方向に延びた水平部６２２ｂと、該水平部６２２ｂの左端から斜め下方に滑らかに折れ曲がって左下がり状に延びた第１斜部６２３ｂと、該第１斜部６２３ｂの左下端から斜め上方に折れ曲がって左上がり状に延びた第２斜部６２４ｂとを備えて構成されており、該第２斜部６２４ｂの左端がルーパー糸案内板７１の左端にまで通じている。
【００２３】
また、第２上ルーパー案内溝６２ａの始点である点Ｐは、脚立部１２に形成された第１上ルーパー案内溝６１ａの下端に対面して望んでおり、一方第２下ルーパー案内溝６２ｂの始点である点Ｑは、脚立部１２に形成された第１下ルーパー案内溝６１ｂの下端に対面して望んでいる。
【００２４】
図１より明らかなように、第２上ルーパー案内溝６２ａと第２下ルーパー案内溝６２ｂとは、両者がそれぞれ交わらないような配置関係で形成されている。また、各案内溝６２ａ，６２ｂの経路形状は、特に本実施例に限定されるものではないが、実際に糸掛けを行うユーザーが簡単に糸の取りまわしを行うことができるように配慮して経路形状を設計するのが好まれる。
【００２５】
図３は、ルーパー糸案内板７１付近の構成の分解斜視図である。図３に示すように、第２上ルーパー案内溝６２ａに近接して４つの突起（第１上ルーパー側突起６３ａ、第２上ルーパー側突起６３ｂ、第３上ルーパー側突起６３ｃ、第４上ルーパー側突起６３ｄ）が設けられている。第１上ルーパー側突起６３ａは第１鉛直部６２１ａと第１水平部６２２ａとの間に、第２上ルーパー側突起６３ｂは第１水平部６２２ａと第２鉛直部６２３ａとの間に、第３上ルーパー側突起６３ｃは第２鉛直部６２３ａと第２水平部６２４ａとの間に、第４上ルーパー側突起６３ｄは第２水平部６２４ａの左端部近傍に設けられている。また、第２下ルーパー案内溝６２ｂに近接して３つの突起（第１下ルーパー側突起６３ｅ、第２下ルーパー側突起６３ｆ、第３下ルーパー側突起６３ｇ）が設けられている。第１下ルーパー側突起６３ｅは鉛直部６２１ｂと水平部６２２ｂとの間に、第２下ルーパー側突起６３ｆは第１斜部６２３ｂと第２斜部６２４ｂとの間に、第３下ルーパー側突起６３ｇは第２斜部６２４ｂの左端部近傍に設けられている。
【００２６】
これらの各突起は、主に各ルーパー案内溝６２ａ，６２ｂの曲がり角に設けてあり、さらにその曲がり角に対して内角側に設けてある。ここで、「内角側」とは、曲がり角のような屈曲部位において、その屈曲角が鋭角となっている方の側壁に通じる側ということである。本例においては、各突起の各ルーパー案内溝に面している側の基端部は、ルーパー案内溝の側壁を形成するようになっており（つまり、ルーパー案内溝の曲がり角の内側を折り曲げて起こした状態とされており）、さらに、各突起はその先端から基端にかけて、曲がり角の外側から内側に向けて傾斜して配設されている。
【００２７】
上記のように各突起を形成することにより、ルーパー糸を突起を目標として順次掛けていくだけで、ルーパー糸が自然に各ルーパー案内溝に導かれるようになっている。
【００２８】
図３に示すように、ルーパー糸案内板７１の左端側における第２上ルーパー案内溝６２ａと第２下ルーパー案内溝６２ｂとの間の領域には、糸掛け取り付け片部７２が形成されている。この糸掛け取り付け片部７２には、円柱状の２つの突起７２ａ，７２ｂが立設されている。この２つの突起７２ａ，７２ｂには、上ルーパー用糸掛け部材７３及び下ルーパー用糸掛け部材７４が取り付けられる。
【００２９】
上ルーパー用糸掛け部材７３は、図３及び図４に示すように略箱型形状を呈しており、その一面７３ｄに第１の孔７３ａ及び第２の孔７３ｂが形成されているとともに、斜めに切り欠かれた糸案内スリット７３ｃが形成されている。また、上記一面７３ｄと対面する部分には、糸掛け爪７３ｅが形成されている。
【００３０】
また、下ルーパー糸掛け部材７４は、図３及び図５に示すように二枚の平板を折りたたんだような形状に形成されており、その一面７４ｄに第１の孔７４ａ及び第２の孔７４ｂが形成されているとともに、糸掛け足７４ｅが突出して形成されている。また、上記一面と対面する面７４ｆには、斜めに切り欠かれた糸案内スリット７４ｃが形成されている。
【００３１】
これらの上ルーパー糸掛け部材７３及び下ルーパー糸掛け部材７４は、両部材の第１の孔７３ａ，７４ａと第２の孔７３ｂ，７４ｂとを目合わせし、共にルーパー糸案内板７１の糸掛け取り付け片部７２に形成された２つの突起７２ａ，７２ｂに挿通させることで、ルーパー糸案内板７１にともに固定される。
【００３２】
図１、図６、図７に示すように、ミシン機枠１０のベッド部１１内には、上ルーパー天秤８１及び下ルーパー天秤８２が配設されている。上ルーパー天秤８１は、板状の腕部８１ａ及び該腕部８１ａの先端部分に形成された糸取り部８１ｂとを有して構成され、腕部８１ａの基端部分は支持軸８３に回動可能に支持されている。同様に、下ルーパー天秤８２も、板状の腕部８２ａ及び該腕部８２ａの先端部分に形成された糸取り部８２ｂとを有して構成され、腕部８２ａの基端部分は支持軸８３に回動可能に支持されている。これらのルーパー天秤８１，８２には、図示しないモータからの回転駆動力が、図示しない主軸、偏心カム、駆動リンク、従動リンクなどの構成により往復駆動力に変換されて伝達される。その結果、上ルーパー天秤８１は、支持軸８３を中心として図１、図６、図７の円弧経路Ａに従い往復円弧運動を行い、下ルーパー天秤８２は、支持軸８３を中心として図１、図６、図７の円弧経路Ｂに従い往復円弧運動を行う。また、図からわかるように両天秤８１，８２の円弧経路Ａ，Ｂは、腕部８１ａと８２ａの長さや往復角度範囲を異ならせることにより、交わらないようにされている。さらに、円弧経路Ａ，Ｂは、ルーパー糸案内板７１の裏側表面に、凹状溝Ａ１，Ｂ１とその凹状溝Ａ１，Ｂ１の両サイドに立設する凸状壁Ａ２，Ｂ２を有して形成されているのが好ましい（図６参照）。このようにして円弧経路Ａ，Ｂを形成することにより、該円弧経路Ａ，Ｂ中を往復円弧運動する各天秤８１，８２の糸取り部８１ｂ、８２ｂに取られた糸が天秤の運動中に該糸取り部から離脱するのを効果的に防止することができる。
【００３３】
図１、図６、図７に示すように、ルーパー糸案内板の裏側には、６個の糸止め部８４ａ，８４ｂ，８４ｃ，８４ｄ，８４ｅ，８４ｆが配設されている。第１糸止め部８４ａ、第２糸止め部８４ｂ、第３糸止め部８４ｃは、それぞれ第２上ルーパー案内溝に溝経路に沿って設けられている。第４糸止め部８４ｄ、第５糸止め部８４ｅ、第６糸止め部８４ｆは、それぞれ第２下ルーパー案内溝の溝経路に沿って設けられている。図からわかるように第２糸止め部８４ｂと第３糸止め部８４ｃとを結ぶ直線が上ルーパー天秤８１の円弧経路Ａと交差するように両糸止め部８４ｂ，８４ｃが配置され、第５糸止め部８４ｅと第６糸止め部８４ｆとを結ぶ直線が下ルーパー天秤８２の円弧経路Ｂと交差するように両糸止め部８４ｅ，８４ｆが配置される。また、第４糸止め部８４ｄと第５糸止め部８４ｅとを結ぶ直線が、第２下ルーパー案内溝６２ｂの第１斜部６２３ｂとほぼ同じ傾斜となるように、両糸止め部８４ｄ，８４ｅが配置される。
【００３４】
図１に示すように、ミシン機枠１０のベッド部１１内には、上ルーパー３１及び下ルーパー３２が配設されている。上ルーパー３１は、その先端部分に糸挿通孔３１ａが形成され、下ルーパーにも、その先端に糸挿通孔３２ａが形成されている。
【００３５】
上記構成のオーバーロックミシン１０１において、糸コマ４２からの糸は、アンテナ式糸掛け４３を介してミシン機枠１０のアーム部１１の前面に形成された針糸案内溝５１ａ，５１ｂ及び脚立部１２の前面に形成された第１上ルーパー案内溝６１ａ、第１下ルーパ案内溝６２ａに通される。このときに各糸調子器２３にも糸が狭通される。そして、針糸案内溝５１ａ，５１ｂに案内される糸（針糸）は、さらに所定の経路を辿ってミシン針２２，２２に供給される。
【００３６】
一方、第１上ルーパー案内溝６１ａ及び第１下ルーパー案内溝６２ａに案内される糸（上ルーパー糸及び下ルーパー糸）は、カバー７６の開放状態にて、ルーパー糸案内板７１に形成された第２上ルーパー案内溝６２ａ及び第２下ルーパー案内溝６２ｂに受け渡される。
【００３７】
第２上ルーパー案内溝６２ａに受け渡された上ルーパー糸は、第２上ルーパー案内溝６２ａの近傍に設けられている突起６３ａ，６３ｂ，６３ｃ，６３ｄをめざし、該突起の外側に糸を回しながら糸掛けを行う。即ち、まず第１突起６３ａの外側に上ルーパー糸を回して該第１突起６３ａに糸を掛け、次いで第２突起６３ｂの外側に上ルーパー糸を回して該第２突起６３ｂに上ルーパー糸を掛け、さらに、第３突起６３ｃの外側に上ルーパー糸を回して該第３突起６３ｃに上ルーパー糸を掛け、最後に第４突起６４ｄに糸を回して上ルーパー糸を掛ける。このようにして上ルーパー糸を糸掛けすることにより、第１〜第４突起６３ａ〜６３ｄの外側を糸が回って掛けられるが、各突起の傾斜によって糸が次第に第２上ルーパー糸案内溝６２ａの中に入っていく。上ルーパー糸案内溝６２ａからルーパー糸案内板７１の中側に入った糸は、上ルーパー案内溝６２ａに沿って配設されている第１〜第３糸止め部によって糸が保持される。したがって、図６に示すように、上ルーパー糸Ｕは、案内板７１の中側で、各糸止め部を直線で結ぶような状態で保持される。この状態において、上ルーパー糸Ｕは、第２糸止め部８４ｂと第３糸止め部８４ｃとの間の部分で上ルーパー天秤８１の円弧経路Ａに交差しているのがわかる。
【００３８】
同様に、第２下ルーパー案内溝６２ｂに受け渡された下ルーパー糸は、第２下ルーパー案内溝６２ｂの近傍に設けられている突起６３ｅ，６３ｆ，６３ｇをめざし、該突起の外側に糸を回しながら糸掛けを行う。即ち、まず第５突起６３ｅの外側に下ルーパー糸を回して該第５突起６３ｅに糸を掛け、次いで第６突起６３ｆの外側に下ルーパー糸を回して該第６突起６３ｆに下ルーパー糸を掛け、さらに、第７突起６３ｇの外側に下ルーパー糸を回して該第７突起６３ｇに下ルーパー糸を掛けることにより、第５〜第７突起６３ｅ〜６３ｇの外側を糸が回って掛けられるが、各突起の傾斜によって糸が次第に第２下ルーパー糸案内溝６２ｂの中に入っていく。下ルーパー糸案内溝６２ｂからルーパー糸案内板７１の中側に入った糸は、下ルーパー案内溝６２ｂに沿って配設されている第４〜第６糸止め部によって糸が保持される。したがって、図６に示すように、下ルーパー糸Ｄは、案内板７１の中側で、各糸止め部を直線で結ぶような状態で保持される。この状態において、下ルーパー糸Ｄは、第５糸止め部８４ｅと第６糸止め部８４ｆとの間の部分で下ルーパー天秤８２の円弧経路Ｂに交差しているのがわかる。
【００３９】
上ルーパー糸Ｕは、第４突起６３ｄに掛けられた後、次いで上ルーパー糸掛け部材７３に掛けられる。この場合において、作業者は、上ルーパー糸Ｕを第４突起６３ｄから一旦上方に持ち上げ、次いで後方に移動する。その後、上ルーパー糸Ｕを上ルーパー糸掛け部材７３の糸案内スリット７３ｃに入れ、該スリット７３ｃの下部にまで入ったら、上ルーパー糸Ｕを糸掛け爪７３ｅに下から潜らせ、上方に持ち上げる。この動作により、上ルーパー糸Ｕが糸掛け爪７３ｅに止められ、その位置が規制される。その直後、上ルーパー３１の糸挿通孔３１ａに糸を通すことによって、上ルーパー糸Ｕの糸掛けが完了する。
【００４０】
下ルーパー糸Ｄは、第７突起６３ｇに掛けられた後、次いで下ルーパー糸掛け部材７４に掛けられる。この場合において、作業者は、下ルーパー糸Ｄを第７突起６３ｇから一旦下方に下げ、次いで糸掛け足７４ｅを下方から潜らせた後、上方に持ち上げられる。そして、次いで糸案内スリット７４ｃ内に挿入されるように下方に糸をもっていく。このスリット７４ｃの下部にて下ルーパー糸Ｄの位置が規制される。その直後、下ルーパー３２の糸挿通孔３２ａ及びそれに重なる移動式ルーパー糸案内孔に同時に糸を通すことによって、下ルーパー糸Ｄの糸掛けが完了する。
【００４１】
上ルーパー糸Ｕを上ルーパー３１の糸挿通孔３１ａに通し、下ルーパー糸Ｄを下ルーパー３２の糸挿通孔３２ａに通した状態で、両ルーパー３１，３２が駆動されると、それに伴い上ルーパー天秤８１及び下ルーパー天秤８２が動く。この場合において、上ルーパー天秤８１は図６の円弧経路Ａに従い、また下ルーパー天秤８２は図６の円弧経路Ｂに従い、それぞれ往復円弧運動を行う。
【００４２】
上述のように、上ルーパー糸Ｕは、第２糸止め部８４ｂと第３糸止め部８４ｃとの間の部分で円弧経路Ａに交差しているため、上ルーパー天秤８１の往復円弧運動の過程で該上ルーパー天秤８１の糸取り部８１ｂに掛けられる。同様に、下ルーパー糸Ｄは、第５糸止め部８４ｅと第６糸止め部８４ｆとの間の部分で円弧経路Ｂに交差しているため、下ルーパー天秤８２の往復円弧運動の過程で該したルーパー天秤８２の糸取り部８２ｂに掛けられる。このため、上ルーパー糸Ｕが上ルーパー天秤８１に、下ルーパー糸Ｄが下ルーパー天秤８２にそれぞれ糸掛けされた状態を実現できる。
【００４３】
上記作用からもわかるように、上下のルーパー糸Ｕ，Ｄの糸掛け経路を案内する糸案内溝（第１上ルーパー案内溝６１ａ，第２上ルーパー案内溝６２ａ，第１下ルーパー案内溝６１ｂ，第２下ルーパー案内溝６２ｂ）が、糸調子器２３から天秤の通過領域までのみならず、糸調子器２３からルーパー糸掛け（上ルーパー糸掛け部材７３、下ルーパー糸掛け部材７４）まで形成されており、糸案内溝にルーパー糸（上ルーパー糸、下ルーパー糸）を掛けていくことにより、ルーパー（上ルーパー３１、下ルーパー３２）の糸挿通孔（糸挿通孔３１ａ，３２ａ）にルーパー糸を通る前までのすべての糸掛け（本例においては、糸調子器２３、上ルーパー天秤８１、下ルーパー天秤８２、上ルーパー糸掛け部材７３、下ルーパー糸掛け部材７４への糸掛け）が完了するようにされている。このため、糸案内溝から出たルーパー糸は唯一ルーパー（上ルーパー３１、下ルーパー３２）の糸挿通孔（糸挿通孔３１ａ，３２ａ）に通すのみで糸通し操作（作業）が完了する。よって、糸掛け作業をより簡単にすることができるとともに、糸掛け順序を誤ることも防止できる。また、第２上ルーパー案内溝６２ａ、第２下ルーパー案内溝６２ｂは、共に糸案内板７１に形成されているので、この糸案内板７１に糸掛けを行うだけで、糸掛け部材まで糸が掛かるようになっている。このため、従来のように糸案内溝から出た糸を更に糸掛け部材に掛けるまでに手間取るといったことがなくなり、糸掛け作業をより簡素化できる。
【００４４】
さらに、糸案内溝の曲がり角（屈曲部位）の内角側に突起部位（第１上ルーパー側突起６３ａ、第２上ルーパー側突起６３ｂ、第３上ルーパー側突起６３ｃ、第４上ルーパー側突起６３ｄ、第１下ルーパー側突起６３ｅ、第２下ルーパー側突起６３ｆ、第３下ルーパー側突起６３ｇ）を形成することにより、その突起部位に糸を掛けていくだけで、糸案内溝に糸が挿入されるようになるため、より簡単に糸掛けを行うことができる。
【００４５】
【発明の効果】
以上説明したように、本発明によれば、糸案内溝に沿ってルーパー糸を掛けていくことにより、糸調子器、ルーパー天秤、ルーパー糸掛けなどの、ルーパーの糸挿通孔にルーパー糸を通す前までのすべての糸掛け部材への糸掛けが完了するので、糸案内溝から出た糸は唯一ルーパーの糸挿通孔に通すのみで糸通し操作（作業）が完了する。このため、糸掛け作業をより簡単にすることができるとともに、糸掛け順序を誤ることも防止できる。
【図面の簡単な説明】
【図１】本発明の実施の形態における、オーバーロックミシンの正面図である。
【図２】本発明の実施の形態における、オーバーロックミシンの側面図である。
【図３】糸案内板付近の構成を示す分解斜視図である。
【図４】上ルーパー糸掛け部材の正面図である。
【図５】下ルーパー糸掛け部材の正面図である。
【図６】糸掛けが完了した状態でのルーパー糸案内板の中側のルーパー糸の状態を示す図である。
【図７】上ルーパー天秤及び下ルーパー天秤に各ルーパー糸が掛けられた状態でのルーパー糸案内板の中側のルーパー糸の状態を示す図である。
【図８】ルーパー糸案内板をミシン機枠のベッド部にマグネットキャッチによって取り付ける例を示す図である。
【図９】
ルーパー糸案内板をミシン機枠のベッド部に突出片と凸部との係合によって取
り付ける例を示す図である。
【符号の説明】
１０・・・ミシン機枠
１１・・・ベッド部
１２・・・脚立部
１３・・・アーム部
２１・・・針棒
２２・・・ミシン針
２３・・・糸調子器
３１・・・上ルーパー、３１ａ・・・糸挿通孔
３２・・・下ルーパー、３２ａ・・・糸挿通孔
４１・・・糸立て
４２・・・糸コマ
４３・・・アンテナ式糸掛け
６１ａ・・・第１上ルーパー案内溝、６１ｂ・・・第１下ルーパー案内溝
６２ａ・・・第２上ルーパー案内溝、６２ｂ・・・第２下ルーパー案内溝
６３ａ・・・第１上ルーパー側突起、６３ｂ・・・第２上ルーパー側突起、６３ｃ・・・第３上ルーパー側突起、６３ｄ・・・第４上ルーパー側突起、６３ｅ・・・第１下ルーパー側突起、６３ｆ・・・第２下ルーパー側突起、６３ｇ・・・第３下ルーパー側突起
７１・・・ルーパー糸案内板
７３・・・上ルーパー糸掛け部材
７４・・・下ルーパー糸掛け部材
８１・・・上ルーパー天秤
８２・・・下ルーパー天秤
【図１】
2004016438.tif 000003
【図２】
2004016438.tif 000004
【図３】
2004016438.tif 000005
【図４】
2004016438.tif 000006
【図５】
2004016438.tif 000007
【図６】
2004016438.tif 000008
【図７】
2004016438.tif 000009
【図８】
2004016438.tif 000010
【図９】
2004016438.tif 000011